(57)【要約】【課題】扉とラッチ装置との間に防水処理を施す必要がなく、箱本体を壁面等に密着設置することができるラッチ鎖錠式の電気機器収納用箱を提供する。【解決手段】扉２を閉じると係止片１７が箱本体１の係合金具１９に係止して自動的に鎖錠され、扉２を開く際にはレバー操作により鎖錠を解除するラッチ装置１０を備えた電気機器収納用箱である。本発明では、係止片１７と操作部１８とが一体化された水平方向に動作するレバーを備えたラッチ装置１０を、扉２の正面であって箱本体１の水切垂直板３よりも外側の位置に設けた。なお、ラッチ装置１０の本体部１１の長手方向位置に、レバー１４の動きをロックするシリンダ錠１５を設けることができる。【選択図】図５
2010084499.tif 000002
【特許請求の範囲】
【請求項１】
扉を閉じると係止片が箱本体側の係合金具に係止して鎖錠され、扉を開く際にはレバー操作により鎖錠を解除するラッチ装置を備えた電気機器収納用箱において、係止片と操作部とが一体化された水平方向に動作するレバーを備えたラッチ装置を、扉の正面であって箱本体の水切垂直板よりも外側の位置に設けたことを特徴とする電気機器収納用箱。
【請求項２】
扉を開く際のレバー操作を箱本体の内側から側方に向かって行うようにレバーの操作部を構成し、箱本体側の係合金具を前記水切垂直板よりも外側に配置したことを特徴とする請求項１に記載の電気機器収納用箱。
【請求項３】
ラッチ装置の本体部の長手方向位置に、レバーの動きをロックするシリンダ錠を設けたことを特徴とする請求項１または２に記載の電気機器収納用箱。
【請求項４】
シリンダ錠によって出没するロックプレートを、レバーの側面に係合させて鎖錠する構造とした請求項３に記載の電気機器収納用箱。
【発明の詳細な説明】
【技術分野】
【０００１】
本発明は、ラッチ装置により鎖錠される構造の電気機器収納用箱に関するものである。
【背景技術】
【０００２】
配電盤、分電盤、通信機器用ラック等の電気機器収納用箱は、箱本体の前面に扉を設けたものが普通であり、その鎖錠装置としてはハンドル装置とラッチ装置が一般的に用いられている。
【０００３】
ハンドル装置は、扉の開閉にそれぞれハンドル操作が必要なものである。またラッチ装置は、扉を開く際にはレバー操作を必要とするが、扉を閉じるときにはレバー操作は不要であり、単に扉を箱本体に押し付けるだけで、常に係合方向に付勢されている係止片が動作して鎖錠が行われるものである。
【０００４】
通常、電気機器収納用箱においては扉の右側部に蝶番が設けられ、左側部に鎖錠装置が設けられている。この場合、ラッチ装置は水平方向に回転するレバーによって操作されるのが普通である。
【０００５】
従来、上記のようなラッチ装置は、扉のパッキンよりも内側に配置されるタイプと、特許文献１，２に記載されるように、扉の側板に配置されて箱本体の側面に突出するタイプとがあった。
【特許文献１】特開２００８−１２１２０７号公報
【特許文献２】特開２００８−１２１２０８号公報
【発明の開示】
【発明が解決しようとする課題】
【０００６】
しかし、ラッチ装置をパッキンの内側に配置すると、扉とラッチ装置との間に防水処理が必要となり、扉内面への機器取付スペースが小さくなるという問題があった。またラッチ装置を扉の側板に配置し箱本体の側面に突出させると、箱本体の側方にレバーを操作するために指先を挿入できるスペースが必要となり、電気機器収納用箱を壁面等に密着して設置できないという問題があった。
【０００７】
したがって本発明の目的は上記した従来の問題点を解決し、扉とラッチ装置との間に防水処理を施す必要がなく、しかも箱本体の側方にレバーを操作するために指先を挿入できるスペースを設ける必要がなく、壁面等に密着設置することができるラッチ鎖錠式の電気機器収納用箱を提供することである。
【課題を解決するための手段】
【０００８】
上記の課題を解決するためになされた本発明は、扉を閉じると係止片が箱本体側の係合金具に係止して鎖錠され、扉を開く際にはレバー操作により鎖錠を解除するラッチ装置を備えた電気機器収納用箱において、係止片と操作部とが一体化された水平方向に動作するレバーを備えたラッチ装置を、扉の正面であって箱本体の水切垂直板よりも外側の位置に設けたことを特徴とするものである。
【０００９】
なお請求項２のように、扉を開く際のレバー操作を箱本体の内側から側方に向かって行うようにレバーの操作部を構成し、箱本体側の係合金具を前記水切垂直板よりも外側に配置した構造とすることが好ましい。
【００１０】
また請求項３のように、ラッチ装置の本体部の長手方向位置に、レバーの動きをロックするシリンダ錠を設けた構造とすることができ、この場合には請求項４のように、シリンダ錠によって出没するロックプレートを、レバーの側面に係合させて鎖錠する構造とすることができる。
【発明の効果】
【００１１】
本発明の電気機器収納用箱は、係止片と操作部とが一体化された水平方向に動作するレバーを備えたラッチ装置を扉の正面に取り付けたので、扉の正面においてレバー操作が可能となる。このため、箱本体の側方にレバーを操作するために指先を挿入できるスペースを設ける必要がなく、壁面等に密着設置することができる。
【００１２】
また本発明の電気機器収納用箱は、ラッチ装置を扉の正面であって箱本体の水切垂直板よりも外側の位置に設けたので、ラッチ装置は防水用のパッキンよりも外側に位置することとなる。このため扉とラッチ装置との間に防水処理を施さなくても完全な防水が可能であるうえ、扉内面への機器取付スペースが小さくなることもない。
【００１３】
請求項２のように、扉を開く際のレバー操作を箱本体の内側から側方に向かって行うようにレバーの操作部を構成し、箱本体側の係合金具を前記水切垂直板よりも外側に配置した構造とすることにより、箱本体の最も外側に近い位置でラッチ装置の係止片を箱本体の係合金具と係止させることができ、より確実な鎖錠が可能となる。
【００１４】
請求項３のように、ラッチ装置の本体部の長手方向位置にレバーの動きをロックするシリンダ錠を設けた構造とすれば、ラッチ装置の幅を拡大せずに効率よくシリンダ錠を配置することができる。この場合、請求項４のようにシリンダ錠によって出没するロックプレートを、レバーの側面に係合させて鎖錠する構造とすれば、ラッチ装置の内部構造が簡素化され、狭いスペース内に効率よくロック機構を収納することができる。
【発明を実施するための最良の形態】
【００１５】
以下に図面を参照しつつ、本発明の好ましい実施形態を説明する。
図１は実施形態の電気機器収納用箱の外観斜視図、図２は扉を開いた状態の斜視図である。これらの図面において、１は電気機器収納用箱の箱本体、２はその扉である。扉２は右側端部を蝶番によって支持され、左側端部に設けられたラッチ装置１０により鎖錠される。ラッチ装置１０の構造については以下に詳述する。なお３と４は箱本体１の前面に突設された水切垂直板と水切水平板である。また５は扉２の裏面に設けられた枠状のパッキンであり、扉２を閉じると水切垂直板３と水切水平板４がパッキン５に密着し、外部から雨水などが箱本体１の内部に浸入することを防止している。
【００１６】
図３はラッチ装置１０を表側から見た斜視図、図４は裏面側から見た斜視図、図５と図６は水平断面図である。これらの図に示されるように、ラッチ装置１０は扉２に固定される縦長の本体部１１と、この本体部１１から裏面側に突出させた折り曲げ片１２にピン１３によって枢着されたレバー１４と、本体部１１の長手方向位置に配置されたシリンダ錠１５とを備えている。図５に示されるように、ラッチ装置１０は扉２の正面であって、箱本体１の水切垂直板３よりも外側の位置に取付けられている。レバー１４の全体はピン１３の周囲に設けられたバネ１６によって、常に鎖錠方向（図面上の反時計方向）に付勢されている。
【００１７】
レバー１４は、扉２の裏面に突出する係止片１７と扉２の表側に位置する操作部１８とを一体に備えたものである。操作部１８の先端は扉２の表面から指先が挿入できる程度浮き上がらせてある。係止片１７の先端は外向きに屈曲しており、図５に示すように鎖錠状態においては箱本体１側の係合金具１９に係合している。この係合金具１９も水切垂直板３よりも外側に配置されており、その先端は内向きに屈曲している。
【００１８】
このため、図５に示す鎖錠状態では扉２を開くことができず、扉２を開くには図６に示すようにレバー１４の操作部１８を持ち上げてレバー１４を回転させ、係止片１７を係合金具１９から外す必要がある。このようにラッチ装置１０は扉２を開くときにはレバー１４の操作を必要とするものであるが、扉２を閉じるときには単に扉２を箱本体１に押し付けるだけで、係止片１７の先端が係合金具１９の斜面に押され、バネ１６に逆らって時計方向に回転しながら図５の状態に至る。
【００１９】
上記のように、本発明ではラッチ装置１０を箱本体１の水切垂直板３よりも外側の位置に取付け、水切垂直板３よりも外側位置において箱本体１側の係合金具１９に係合するようにしたので、ラッチ装置１０と扉２との間を防水構造としなくてもよい。すなわち、仮にラッチ装置１０の部分から水が浸入しても、水切垂直板３とパッキン５との接触部で遮断され、箱本体１の内部に達することはない。このために扉２の内部にラッチ装置１０のための防水手段を必要とせず、機器取付け面積が制約されることがない。
【００２０】
また、ラッチ装置１０を扉２の正面に設けたことによって、図６に示す扉２を開く際のレバー操作を扉２の正面で行うことができ、ラッチ装置１０を扉２の側面に設けた場合のように、箱本体１の端部と壁面等との間に指先を入れるスペースを必要としない。このため、箱本体１を壁面に密着配置することができる。
【００２１】
なお、この実施形態では、箱本体１の内側から側方に向かって行うようにレバー１４の操作部１８を構成してあるので、右利きの人が右手で操作部１８と扉２との間に指先を入れ、そのまま手前に引くことによって係止片１７を係合金具１９から外す動作と、扉２を開く動作とを連続して行うことができる。しかし本発明はこの実施形態に限定されるものではなく、例えばレバー１４の操作方向を逆方向としたり、レバー１４をスライド式としたりすることも可能である。
【００２２】
次に図３、図４、図７、図８を参照しながらシリンダ錠１５について説明する。この実施形態では、ラッチ装置１０の本体部１１の長手方向位置に、シリンダ錠１５が取付けられている。シリンダ錠１５自体は公知のものであり、レバー１４の操作部１８に形成されたキー挿通孔２０からキーを差し込んで操作する構造となっている。このシリンダ錠１５はキー操作によって上下方向に出没するロックプレート２１を備えている。このロックプレート２１は上端に突片２２を備えており、上昇させると図３、図４に示すようにレバー１４の下部側面に形成された孔２３に突起２２が係合し、レバー１４を回転できないように鎖錠する。この状態では扉２を開くことができない。扉２を開くには、この鎖錠状態からシリンダ錠１５を操作して図７のようにロックプレート２１を下降させ、レバー１４の孔２３との係合を解除したうえで図８のようにレバー１４を回転させればよい。
【００２３】
この実施形態のように、レバー１４の裏面の位置にシリンダ錠１５を設けた場合には、レバー１４を大きくすることができるので、美観が向上する。しかし図９に示した他の実施形態のように、ラッチ装置１０の本体部１１の中央にレバー２４を設け、レバー２４の上方または下方にシリンダ錠１５を露出させて配置してもよい。
【００２４】
なお、箱本体１側の係合金具１９は、図２、図３に示すように金属板の端部を折り曲げた構造であるが、その上下の折り曲げ片２６，２７を内側に向かって広がるように傾斜させるとともに、扉２と平行な端部折り曲げ辺を切り欠いた当接部６を設ける。また、ラッチ装置１０の係止片１７の上下に切欠部２８，２９を形成し、扉２を閉じたときに上下の折り曲げ片２６，２７が入り込むようにしておくことが好ましい。これによって扉２の蝶番から遠い端部が箱本体１に対して多少垂れ下がった場合にも、上下の傾斜した折り曲げ片２６，２７が扉２の当接部６に規制されて扉２に固定されたラッチ装置１０が正規の高さに誘導され、扉２の垂れ下がりを防止することができる。
【００２５】
なお、この実施形態のように扉２の右側端部に蝶番、左側端部にラッチ装置１０を設けたものでは、上部の折り曲げ辺２６が作用し、箱を上下逆転させて使用する場合にはもう一方の折り曲げ辺２７が上位置となり作用するものである。
【図面の簡単な説明】
【００２６】
【図１】実施形態の電気機器収納用箱の外観斜視図である。
【図２】扉を開いた状態の斜視図である。
【図３】ラッチ装置を表側から見た斜視図である。
【図４】ラッチ装置を裏面側から見た斜視図である。
【図５】ラッチ装置の鎖錠状態における水平断面図である。
【図６】ラッチ装置の開錠状態における水平断面図である。
【図７】ロックプレートが下降した状態の斜視図である。
【図８】レバーを回転させた状態の斜視図である。
【図９】他の実施形態を示す斜視図である。
【符号の説明】
【００２７】
１  箱本体
２  扉
３  水切垂直板
４  水切水平板
５  パッキン
６  当接部
１０  ラッチ装置
１１  本体部
１２  折り曲げ片
１３  ピン
１４  レバー
１５  シリンダ錠
１６  バネ
１７  係止片
１８  操作部
１９  係合金具
２０  キー挿通孔
２１  ロックプレート
２２  突片
２３  孔
２４  レバー
２５  シリンダ
２６  折り曲げ片
２７  折り曲げ片
２８  切欠部
２９  切欠部
【図１】
2010084499.tif 000003
【図２】
2010084499.tif 000004
【図３】
2010084499.tif 000005
【図４】
2010084499.tif 000006
【図５】
2010084499.tif 000007
【図６】
2010084499.tif 000008
【図７】
2010084499.tif 000009
【図８】
2010084499.tif 000010
【図９】
2010084499.tif 000011